(57)【特許請求の範囲】
【請求項１】
レシート用紙とジャーナル用紙のそれぞれに同一の情報を印字する印字手段を備え、前記用紙の移動中に前記印字手段が文字や画情報を形成印字するプリンタにおいて、
前記レシート用紙を搬送するレシート搬送手段と、
前記ジャーナル用紙を搬送するジャーナル搬送手段と、
前記ジャーナル用紙を巻き取る巻取手段と
を備えると共に、
前記レシート搬送手段を駆動するレシート駆動モータと、
前記ジャーナル搬送手段及び前記巻き取り手段を駆動するジャーナル駆動モータと、
前記レシート駆動モータの回転数を減速するレシート減速機構と、
前記ジャーナル駆動モータの回転数を前記レシート減速機構によるレシート駆動モータの回転数の減速よりも減速するジャーナル減速機構と
を更に有し、
前記レシート減速機構と前記ジャーナル減速機構は、前記レシート駆動モータにかかる負荷と前記ジャーナル駆動モータにかかる負荷が略同一となるように減速することを特徴とするプリンタ。
【請求項２】
前記ジャーナル減速機構は、駆動モータの回転数を複数に減速する減速比変更機構を有することを特徴とする請求項１記載のプリンタ。
【発明の詳細な説明】
【０００１】
【発明の属する技術分野】
本発明は、電子キャッシュレジスタ等に搭載されるプリンタ、更に詳しくは複数の記録媒体に印字するプリンタに関する。
【０００２】
【従来の技術】
電子キャッシュレジスタ等に内蔵されるプリンタは、レシート用紙とジャーナル用紙の２巻のロール紙の各々に各種データを記録することができる構造になっている。このようなプリンタはレシートジャーナルプリンタ、または、２ステーションプリンタ等の名称で呼ばれている。商品販売の店舗では、レシートは顧客に発行され、ジャーナルは店舗用に保存される。
【０００３】
ここで、レシートは、顧客に発行される為に、視認性や印字品質が要求されるが、ジャーナルは、視認性を良くするよりも、用紙の消費量を削減することが要求される。そこで、以下のような方法が提案されている。
【０００４】
まず、特開平５−１３８９５３号公報に開示されている従来例では、レシート用とジャーナル用に２種類の専用キャラクタを設定し、ジャーナル用キャラクタはレシート用キャラクタよりも印字サイズを小さくすることにより、用紙の消費量を削減している。
【０００５】
次に、特開平７−１４８９８８号公報に開示されている従来例では、キャラクタの印字サイズを縮小するサイズ変更手段を設け、使用者が所望により、ジャーナル側の印字のみ、印字サイズを縮小することにより、用紙の消費量を削減している。
【０００６】
【発明が解決しようとする課題】
しかしながら、上述した従来技術においては、次のような問題があった。
【０００７】
まず、２種類の専用キャラクタも持つ方法では、これらのキャラクタを記憶するＣＧ(CharacterGenerator)の記憶容量が通常の２倍になっており、その生産性や小型軽量化、低価格化が阻害されている。
【０００８】
また、印字サイズの変更手段を設ける方法では、印字データを更新、記憶するＲＡＭに、キャラクタを縮小する前のデータを一時記憶するワークエリアや、キャラクタの縮小サイズを指定するフラッグエリアなどが必要になり、やはり、その生産性や小型軽量化、低価格化が阻害されている。
【０００９】
そこで、本発明は、このような従来の問題を解決するためのものであり、その目的とするところは、制御上、コストアップすることなく、ジャーナル用紙に印字されるキャラクタのサイズを縮小し、用紙の消費量を削減するレシートジャーナルプリンタ、特に、レシート用紙の搬送手段を駆動するモータとジャーナル用紙の搬送手段を駆動するモータとを同一仕様とすることができるレシートジャーナルプリンタを提供することにある。
【００１０】
【課題を解決するための手段】
上記課題を解決するために本発明のプリンタは、レシート用紙とジャーナル用紙のそれぞれに同一の情報を印字する印字手段を備え、用紙の移動中に印字手段が文字や画情報を形成印字するプリンタにおいて、レシート用紙を搬送するレシート搬送手段と、ジャーナル用紙を搬送するジャーナル搬送手段と、ジャーナル用紙を巻き取る巻取手段とを備えると共に、レシート搬送手段を駆動するレシート駆動モータと、ジャーナル搬送手段及び巻き取り手段を駆動するジャーナル駆動モータと、レシート駆動モータの回転数を減速するレシート減速機構と、ジャーナル駆動モータの回転数をレシート減速機構によるレシート駆動モータの回転数の減速よりも減速するジャーナル減速機構とを更に有し、レシート減速機構とジャーナル減速機構は、レシート駆動モータにかかる負荷とジャーナル駆動モータにかかる負荷が略同一となるように減速することを特徴とする。
【００１１】
上記構成によれば、視認性を重視するレシート用紙よりも、内部記録として保存されるジャーナル用紙の使用量は少なくて済み有効であるだけでなく、巻取手段によりジャーナル駆動モータの負荷は増えるが、ジャーナル減速機構により減速されて略同一の負荷となることより、レシート駆動モータ及びジャーナル駆動モータを同一仕様のモータとすることができ、モータ駆動する回路若しくは回路を構成する部品等を共通化できるので、設計期間の短縮や部品管理の容易なことより、廉価なプリンタを提供できる。
【００１２】
又、ジャーナル減速機構は、駆動モータの回転数を複数に減速する減速比変更機構を有することを特徴とする。
【００１３】
上記構成により、減速比を変更して圧縮するキャラクタのサイズを複数に切り換えることができ、その用途幅が更に広がる。
【００１４】
【発明の実施の形態】
以下に、本発明に係るプリンタの実施の形態を図１から図５を参照して詳細に説明する。
【００１５】
図１は、本発明に係る２ステーションプリンタのメカニズムの斜視図であり、印字方式は、記録媒体に感熱紙を用い、所望の位置に熱エネルギを印加し、発色させることにより、各種データを印字出力するサーマル印字方式である。尚、このプリンタを制御する制御部は図示しないが、ＣＰＵ（CentralProcessingUnit）および、各種データを伝送するシステムバス、ＲＡＭ（RandomAccessMemory）、ＲＯＭ（ReadOnlyMemory）、ＣＧ（CharacterGenerator）等のメモリーによって構成される一般的なものである。
【００１６】
印字データはＲＡＭにより、都度データを更新自在に記憶するが、印字データを構成する各種の文字（キャラクタ）はＣＧに記憶されている。記憶する文字が多くなれば、それだけ大容量のＣＧが必要になる。例えば、１００種類の文字でサイズが２種類あれば、文字としては２００文字を記憶しなければならない。本発明のプリンタでは、文字サイズは１種類のみで１００種類の文字が記憶されている。
【００１７】
メインフレーム１にはレシート用紙Ｒとジャーナル用紙Ｊを各々独立して紙送りできる搬送手段である紙送り機構部を有しており、メインフレーム１に保持されるラインサーマルヘッド６が後述するプラテン上の各用紙Ｒ、Ｊを押圧する。レシート用紙Ｒはカバーフレーム２に設けられたレシート出口４から排出され、ジャーナル用紙Ｊはジャーナル出口５から排出される。
【００１８】
カバーフレーム２には、印字されたレシート用紙Ｒを所定の長さで切断するオートカッタ機構が内蔵されている。また、排出されたジャーナル用紙Ｊは巻取りフレーム３に支持された巻取りスプール７に巻き取られる。
【００１９】
次に紙送り機構部の詳細について説明する。図２は、本発明のプリンタの紙送り機構部を示す内部斜視図である。各用紙Ｒ、Ｊは紙案内１４に案内されレシート用プラテン１０、ジャーナル用プラテン１３とラインサーマルヘッド６の間に挟まれるように挿入される。レシート用モータ８はレシート用歯車輪列９を介してレシート用プラテン１０を駆動する。ラインサーマルヘッド６とレシート用プラテン１０に挟持されたレシート用紙Ｒはレシート用プラテン１０が回転することにより、その摩擦力で送られる。同様に、ジャーナル用モータ１１はジャーナル用歯車輪列１２を介してジャーナル用プラテン１３を駆動する。
【００２０】
ここで、レシート用モータ８とジャーナル用モータ１１は全く同一仕様のモータであり、４８極のステッピングモータである。しかしながら、レシート用歯車輪列９とジャーナル用歯車輪列１２は、少なくとも１組の歯車は異なっており、レシート側とジャーナル側で減速比は異なるように設定されている。レシート側のモータからプラテンまでの減速比は０．０９５５であり、一方ジャーナル側のモータからプラテンまでの減速比は０．０５７３である。
【００２１】
また、ラインサーマルヘッド６は各プラテン１０、１３に均等に押圧される構造になっており、ラインサーマルヘッド６の押圧力によって、各プラテン軸上にかかる負荷トルクはレシート側、ジャーナル側共に２ｋｇｆ−ｃｍである。
【００２２】
図３は、本発明のプリンタの巻取り機構部を示す内部斜視図である。ジャーナル用プラテン１３の歯車と巻取りスプール７はベルト伝達機構部１５を介して、動力伝達され、ジャーナル用プラテン１３の回転と同期して、巻取りスプール７も回転する。印字されたジャーナル用紙Ｊは顧客に発行されず、図に示すように、巻取りスプール７に巻き取られていく。
【００２３】
この巻取り機構により、ジャーナル用プラテン１３には、レシート用プラテン１０にかかる以上の負荷トルクがかかる。この負荷トルクはプラテン軸上で１．３ｋｇｆ−ｃｍである。
【００２４】
上述した構成により、モータ軸上にかかる負荷トルクは以下のようになる。
【００２５】
レシート用モータにかかる負荷トルク
＝２［kgf-cm］×０．０９５５＝１９１［gf-cm］
ジャーナル用モータにかかる負荷トルク
＝（２＋１．３）［kgf-cm］×０．０５７３＝１８９［gf-cm］
即ち、本２ステーションプリンタでは、歯車減速比を、レシート側とジャーナル側で変えることにより、モータ軸上にかかる負荷トルクをレシート側とジャーナル側で殆ど同じ値になるように設定している。これにより、所定の駆動周波数にて、１９１［gf-cm］以上のトルクが発生するモータを選定すれば良い。このように本発明では、レシート側ジャーナル側の各モータ８、１１を同一条件で駆動させることができ、この時のモータの発熱特性も、レシート側、ジャーナル側は同じになり、モータの選定が極めて容易になる。
【００２６】
次に、本２ステーションプリンタの紙送りピッチ、および紙送り速度について説明する。各プラテン１０、１３の用紙と接触する部分（ゴム部）の直径は２０mmであり、モータ１ステップは１回転の（１／４８）であるから、紙送りピッチは以下のようになる。
【００２７】
レシート側紙送りピッチ
＝（１／４８）×０．０９５５×π×２０＝０．１２５［mm］
ジャーナル側紙送りピッチ＝（１／４８）×０．０５７３×π×２０
＝０．０７５［mm］
即ち、ジャーナル側の紙送りピッチはレシート側の０．６になっている。
【００２８】
紙送りピッチが異なるということは、紙送り速度も異なるということである。例えば、モータの駆動周波数を１０００ｐｐｓとすると、紙送り速度は以下のようになる。
【００２９】
レシート側紙送り速度＝０．１２５×１０００＝１２５[mm/sec]
ジャーナル側紙送り速度＝０．０７５×１０００＝７５[mm/sec]
よって、レシート側とジャーナル側の各モータ８、１１を同一条件で、紙送りするとジャーナル側の印字長さはレシート側の印字長さの０．６に圧縮されることになる。
【００３０】
図４に本プリンタで出力した印字サンプルの一例を示す。印字サンプルは数字のデモパターンである。図４の（ａ）はレシート側の印字サンプル、図４の（ｂ）はジャーナル側の印字サンプルである。ジャーナル側のキャラクタは紙送り方向、即ち、上下方向に圧縮されており、レシート側のキャラクタと比べて文字高さが小さいので見えづらいが、ジャーナル用紙は客先に手渡すものではない為、印字品質としては、誤認しないレベルであれば、十分である。
【００３１】
このように、本発明の２ステーションプリンタは、レシート側とジャーナル側で、同一サイズのキャラクタを印字する同一の制御を行いながら、ジャーナル側の印字書式を圧縮することができる。すなわち、ＣＧには１００種類の文字しか記憶していないにも関わらず、レシート用紙及びジャーナル用紙に印字可能な文字は２００種類である。そして、このように印字書式を圧縮することにより、ジャーナル用紙Ｊの消費量削減ができる。
【００３２】
上述した実施例では、印字手段にラインサーマルヘッドを用い、紙送り手段にはレシート側とジャーナル側各々専用のモータを用いていることにより、レシート側とジャーナル側の記録紙に同時に印字することが可能であるものであるが、本発明はこのタイプのプリンタに限るものではない。
【００３３】
例えば、印字行方向に複数の印字部材を備えドットプリンタヘッド若しくはインクジェットヘッド等を往復移動するキャリッジに搭載されるいわゆるシャトルプリンタであっても構わなく、更には、シャトルプリンタであって、最初にレシート用紙にのみ印字し、顧客に手渡す時間にジャーナル用紙に印字するような場合は、同時に紙送りさせる必要はなく、共通するモータを１個だけとし、レシート紙紙送り機構とジャーナル紙紙送り機構とを電磁手段の一つであるソレノイドを使用した切り替え機構によってレシート用紙及びジャーナル用紙それぞれ単独に駆動させることもできる。この場合、駆動源である高価なモータの削減により、廉価なプリンタを提供できるものである。
【００３４】
以上、キャラクタの圧縮比が所定である実施の形態を説明したが、次にその圧縮比が変化する場合を説明する。
【００３５】
上述の実施の形態では、ジャーナル側のキャラクタの圧縮比は０．６の一種類であるが、店舗により、ジャーナル用紙をもっと削減したいという要望や、集計レポート等を出力する為、もっと見やすいキャラクタで印字させたいといった要望もある。そこで、そのような要望に対応する場合、減速比の切り替え手段をジャーナル側歯車輪列に設ければよい。
【００３６】
図５を用いて減速比の切換手段の１つの歯車減速比切り替え手段を説明する。中間歯車２０は図示しないモータに回転される駆動歯車２１と図示しないジャーナル紙搬送機構を駆動する紙送り歯車２２とに噛み合い、更には中間歯車２０はスラスト方向に移動可能に支持されている。図５の状態では中間歯車２０の大歯車２０ａと紙送り歯車２２の小歯車２２ａが噛み合っている。この時、ジャーナル側の文字の圧縮比はレシート側の文字の０．７となっている。
【００３７】
更に、小さな文字を印字したい場合は、この中間歯車２０を図示しないレバー等で矢印Ａ方向に移動させると、中間歯車２０の小歯車２０ｂと紙送り歯車２２の大歯車２２ｂとが噛み合うようになる。この時、ジャーナル側の文字の圧縮比はレシート側の文字の０．５となっている。このような手段を用いて、ジャーナル側キャラクタのサイズを、店舗の希望にあわせて複数選択できる。
【００３８】
上述したように、本発明では、ジャーナル側歯車輪列にレバー切り替え機構を追加するだけで、ＣＧに記憶している文字の３倍もの文字を印字可能になる。レバー部の部品単価はよほど複雑なレバーにしない限りある程度一定の単価になる。しかしながら、ＣＧは記憶する文字が多くなればなるほど、コストアップになる。よって、本発明は印字する文字の種類が多くなるほど、コスト的にも効果が大きいといえる。
【００３９】
【発明の効果】
以上述べたように、本発明の請求項１記載の発明によれば、レシート用紙とジャーナル用紙のそれぞれに同一の情報を印字する印字手段を備え、用紙の移動中に印字手段が文字や画情報を形成印字するプリンタにおいて、レシート用紙を搬送するレシート搬送手段と、ジャーナル用紙を搬送するジャーナル搬送手段と、ジャーナル用紙を巻き取る巻取手段とを備えると共に、レシート搬送手段を駆動するレシート駆動モータと、ジャーナル搬送手段及び巻き取り手段を駆動するジャーナル駆動モータと、レシート駆動モータの回転数を減速するレシート減速機構と、ジャーナル駆動モータの回転数をレシート減速機構によるレシート駆動モータの回転数の減速よりも減速するジャーナル減速機構とを更に有し、レシート減速機構とジャーナル減速機構は、レシート駆動モータにかかる負荷とジャーナル駆動モータにかかる負荷が略同一となるように減速することを特徴とする。
【００４０】
上記構成によれば、視認性を重視するレシートよりも、内部記録として保存されるジャーナル用紙の使用量は少なくて済み有効であるだけでなく、レシート駆動モータ及びジャーナル駆動モータを同一仕様のモータとすることができ、モータ駆動する回路若しくは回路を構成する部品等を共通化できるので、設計期間の短縮や部品管理の容易なことより、廉価なプリンタを提供できる。又更には、減速比を変更して圧縮するキャラクタのサイズを複数に切り換えることができ、その用途幅が更に広がる等の効果があり、本願により店舗の所望等により、最適なサイズでしかも使用する記録媒体の使用量を少なくできるプリンタを提供できるという効果がある。
【図面の簡単な説明】
【図１】  本発明に係る２ステーションプリンタのメカニズムの斜視図。
【図２】  同プリンタの紙送り機構部を示す内部斜視図。
【図３】  同プリンタの巻取り機構部を示す内部斜視図。
【図４】  本発明に係るプリンタの印字例をしめすサンプル図。
【図５】  本発明に係るジャーナル側の歯車輪列部の説明図。
【符号の説明】
１    メインフレーム
２    カバーフレーム
３    巻取りフレーム
６    ラインサーマルヘッド
７    巻取りスプール
８    レシート用モータ
９    レシート用歯車輪列
１０    レシート用プラテン
１１    ジャーナル用モータ
１２    ジャーナル用歯車輪列
１３    ジャーナル用プラテン
Ｒ    レシート用紙
Ｊ    ジャーナル用紙
【図１】
0003659283.tif 000002
【図２】
0003659283.tif 000003
【図３】
0003659283.tif 000004
【図４】
0003659283.tif 000005
【図５】
0003659283.tif 000006